(57)【要約】      （修正有）【課題】スパンコールの微細な光乱反射を介して鳥獣に対する威嚇効果を長期間持続可能な鳥獣接近防止具等を提供する。【解決手段】鳥獣接近防止具１は、人や動物の形態を模した平板状又は立体状の基材３Ａ、３Ｂと、基材３Ａ、３Ｂの外面の全部又は一部に形成され且つ複数のスパンコールを縫い付けたスパンコール装飾部２Ａとを有し、スパンコール装飾部２Ａの光乱反射により鳥または獣の接近を防止する。特に、第１の基材３Ａの表面に第１のスパンコール装飾部２Ａを形成した第１の鳥獣接近防止具１Ａと、第２の基材３Ｂの表面に第２のスパンコール装飾部を形成した第２の鳥獣接近防止具１Ｂとを有し、第１、第２の基材３Ａ、３Ｂの裏面同士を当接させて固着した。【選択図】図３
0003234679.tif 000002
【実用新案登録請求の範囲】
【請求項１】
人や動物の形態を模した平板状又は立体状の基材と、
この基材の外面の全部又は一部に形成され且つ複数のスパンコールを縫い付けたスパンコール装飾部とを有し、
前記スパンコール装飾部の光乱反射により鳥または獣の接近を防止するようにしたことを特徴とする鳥獣接近防止具。
【請求項２】
第１の基材の表面に第１のスパンコール装飾部を形成した第１の鳥獣接近防止具と、第２の基材の表面に第２のスパンコール装飾部を形成した第２の鳥獣接近防止具とを有し、
第１，第２の基材の裏面同士を当接させて固着したことを特徴とする請求項１に記載の鳥獣接近防止具。
【請求項３】
前記第１，第２の基材は、左右対称のフクロウの形態を模したポリエステル製の不織布で構成され、第１，第２の基材の裏面同士を当接させて熱融着により固着したことを特徴とする請求項２に記載の鳥獣接近防止具。
【請求項４】
前記第１，第２のスパンコール装飾部は実質的に同構造であり、
第１，第２のスパンコール装飾部は夫々第１，第２の基材の表面の全面に形成されたことを特徴とする請求項３に記載の鳥獣接近防止具。
【請求項５】
前記第１，第２のスパンコール装飾部の各々は、フクロウの胴体に対応する胴体装飾部と、フクロウの顔に対応する顔装飾部と、フクロウの両方の目玉に対応する目玉装飾部と、フクロウのくちばしに対応するくちばし装飾部と、フクロウのくちばしより上方の顔面上部に対応するに顔面上部装飾部とを含むことを特徴とする請求項４に記載の鳥獣接近防止具。
【請求項６】
前記基材は、両方の翼をひろげた鷲の形態を模した布製の平板状の部材で構成され、
前記スパンコール装飾部は、鷲の胴体に対応する胴体装飾部と、鷲の頭部に対応する頭部装飾部と、鷲の両方の翼に対応する翼装飾部と、鷲の尾に対応する尾装飾部とを含むことを特徴とする請求項１に記載の鳥獣接近防止具。
【考案の詳細な説明】
【技術分野】
【０００１】
本考案は、鳥獣接近防止具に関し、特に光の乱反射により鳥または獣の接近を防止するようにした鳥獣接近防止具に関する。
【背景技術】
【０００２】
従来、カラス等の鳥獣による被害対策として、被害対象物（生ごみ、或いは農作物等）の周囲にＣＤやＤＶＤ等の光ディスクを吊り下げて光の不規則な反射によって鳥獣の接近を抑止している。
【０００３】
特許文献１の鳥獣忌避用の曲面ホログラムシートは、任意のパターンに基づく模様が形成されたホログラムシートを曲成し、ホログラムシートの表裏面で光を反射している。
曲成されたホログラムシートが多様な反射角度を形成するため、反射光が大気光象の1つである彩雲現象のように多彩な色合いを発することができる。
これにより、鳥獣の被害対象物への接近を回避している。
【先行技術文献】
【特許文献】
【０００４】
【特許文献１】特開２００６−０２０５９８号公報
【考案の概要】
【考案が解決しようとする課題】
【０００５】
特許文献１の鳥獣忌避用の曲面ホログラムシートは、彩雲現象のような反射光を用いて鳥獣を脅すことにより、鳥獣に対して威嚇効果を確保している。
しかし、特許文献１の技術では、威嚇効果を長期間維持することができない虞がある。
特許文献１の技術は、任意のパターン模様によるホログラム画像が形成されたホログラムシートであるため、光が限られた場所にしか反射されず、当初は警戒していた鳥獣もホログラムシート及びその反射光に徐々に慣れてしまい被害対象物へ接近することが懸念される。
【０００６】
特に、ホログラムシートでは、ホログラムシートに形成されたホログラム画像が微細な模様ではないため、ホログラムシートに太陽光が照射されても乱反射が起こりにくく、鳥獣を威嚇する効果が十分とは言い難い。
【０００７】
本考案の目的は、スパンコールの微細な光乱反射を利用して鳥獣に対する威嚇効果を長期間持続可能な鳥獣接近防止具等を提供することである。
【課題を解決するための手段】
【０００８】
請求項１の考案は、人や動物の形態を模した平板状又は立体状の基材と、この基材の外面の全部又は一部に形成され且つ複数のスパンコールを縫い付けたスパンコール装飾部とを有し、前記スパンコール装飾部の光乱反射により鳥または獣の接近を防止するようにしたことを特徴としている。
【０００９】
この鳥獣接近防止具では、基材の外面の全部又は一部に形成され且つ複数のスパンコールを縫い付けたスパンコール装飾部を有しているため、無風、或いは微風下であっても、複数のスパンコール夫々の反射角度を異ならせて周辺の様々な方向に光を同時に乱反射させることができ、光を乱反射させて鳥獣による慣れを回避している。
【００１０】
請求項２の考案は、請求項１の考案において、第１の基材の表面に第１のスパンコール装飾部を形成した第１の鳥獣接近防止具と、第２の基材の表面に第２のスパンコール装飾部を形成した第２の鳥獣接近防止具とを有し、第１，第２の基材の裏面同士を当接させて固着したことを特徴としている。
【００１１】
この構成によれば、第１，第２の鳥獣接近防止具の裏面同士を固着して一体的に形成することで、両面に第１，第２のスパンコール装飾部を形成した鳥獣接近防止具が得られる。
【００１２】
請求項３の考案は、請求項２の考案において、前記第１，第２の基材は、左右対称のフクロウの形態を模したポリエステル製の不織布で構成され、第１，第２の基材の裏面同士を当接させて熱融着により固着したことを特徴としている。
この構成によれば、第１，第２の基材の裏面同士を当接させて熱融着により簡単に固着することができる。
【００１３】
請求項４の考案は、請求項３の考案において、前記第１，第２のスパンコール装飾部は実質的に同構造であり、第１，第２のスパンコール装飾部は夫々第１，第２の基材の表面の全面に形成されたことを特徴としている。
【００１４】
この構成によれば、フクロウの形態を模した鳥獣接近防止具であって表面と裏面に同構造のスパンコール装飾部を形成した鳥獣接近防止具を容易に得ることができる。第１，第２のスパンコール装飾部は実質的に同構造であるため、縫製データの作成が容易になる。
【００１５】
請求項５の考案は、請求項４の考案において、前記第１，第２のスパンコール装飾部の各々は、フクロウの胴体に対応する胴体装飾部と、フクロウの顔に対応する顔装飾部と、フクロウの両方の目玉に対応する目玉装飾部と、フクロウのくちばしに対応するくちばし装飾部と、フクロウのくちばしより上方の顔面上部に対応するに顔面上部装飾部とを含むことを特徴としている。
この構成によれば、複数の装飾部の色合いを適切に設定することで、意匠的にも優れた鳥獣接近防止具を得ることができる。
【００１６】
請求項６の考案は、請求項１の考案において、前記基材は、両方の翼をひろげた鷲の形態を模した布製の平板状の部材で構成され、前記スパンコール装飾部は、鷲の胴体に対応する胴体装飾部と、鷲の頭部に対応する頭部装飾部と、鷲の両方の翼に対応する翼装飾部と、鷲の尾に対応する尾装飾部とを含むことを特徴としている。
この構成によれば、鷲型の鳥獣接近防止具を得ることができる。
【考案の効果】
【００１７】
本考案の鳥獣接近防止具によれば、複数のスパンコール夫々の反射角度を異ならせて様々な方向に光を乱反射させることにより、鳥獣に対する接近防止効果を長期間持続することができる。
【図面の簡単な説明】
【００１８】
【図１】本考案の実施例１に係る鳥獣接近防止具の正面図である。
【図２】鳥獣接近防止具の要部の縦段側面図である。
【図３】鳥獣接近防止具を製作する方法の説明図である。
【図４】図１のＡ部拡大図である。
【図５】本考案の実施例２に係る鳥獣接近防止具の正面図である。
【考案を実施するための形態】
【００１９】
以下、本考案を実施するための形態について図面を参照して説明する。
但し、この実施の形態は１例を示す例示に過ぎず、本考案はこの実施の形態に限定されるものではない。
【実施例１】
【００２０】
図１〜図４に、フクロウ型の鳥獣接近防止具１を示す。
この鳥獣接近防止具１は、被害を受ける被害対象物の周辺に配置（吊り下げて支持する場合もある）することで、無風、或いは微風下であっても、多数の微細なスパンコールにより周辺の様々な方向に光を乱反射することができ、カラス等による生ごみに対する鳥害や、猿や鹿や猪等による農作物に対する獣害を回避することが可能である。
【００２１】
この鳥獣接近防止具１は、人や動物の形態を模した平板状の基材３Ａ，３Ｂと、この基材３Ａ，３Ｂの外面の全部又は一部に形成され且つ複数のスパンコール４を縫い付けたスパンコール装飾部２Ａ，２Ｂとを有し、スパンコール装飾部２Ａ，２Ｂの光乱反射により鳥または獣の接近を防止するようにしたものである。
【００２２】
図１、図２に示すように、この鳥獣接近防止具１は、第１の基材３Ａの表面に第１のスパンコール装飾部２Ａを形成した第１の鳥獣接近防止具１Ａと、第２の基材３Ｂの表面に第２のスパンコール装飾部２Ｂを形成した第２の鳥獣接近防止具１Ｂとを有し、第１，第２の基材３Ａ，３Ｂの裏面同士を当接させて固着してある。このように、鳥獣接近防止具１の前面と後面の両面にスパンコール装飾部２Ａ，２Ｂがある。
【００２３】
第１，第２の基材３Ａ，３Ｂは、左右対称のフクロウの形態を模したポリエステル製の不織布で構成され、第１，第２の基材３Ａ，３Ｂの裏面同士を当接させて熱融着により固着してある。
【００２４】
第１，第２のスパンコール装飾部２Ａ，２Ｂは実質的に同構造（同じ図柄）であり、第１，第２のスパンコール装飾部２Ａ，２Ｂは夫々第１，第２の基材３Ａ，３Ｂの表面の全面に形成されている。
【００２５】
第１，第２のスパンコール装飾部２Ａ，２Ｂの各々は、フクロウの胴体の表面の全面に多数のスパンコール４を縫い付けた胴体装飾部２ａと、フクロウの顔の表面の全面に多数のスパンコール４を縫い付けた顔装飾部２ｂと、フクロウの両方の目玉の表面の全面に複数のスパンコール４を縫い付けた目玉装飾部２ｃと、フクロウのくちばしの表面の全面に複数のスパンコール４を縫い付けたくちばし装飾部２ｄと、フクロウのくちばしより上方の顔面上部の表面の全面に多数のスパンコール４を縫い付けた顔面上部装飾部２ｅとを含む。尚、顔面上部の中心部には、紐や鎖を通す為の開口穴６が形成されている。
【００２６】
次に、スパンコール４について説明する。
この実施形態で採用しているスパンコール４の各々は、金属製又は合成樹脂製の薄い板材から形成された直径例えば３ｍｍの円板の中心部に直径例えば１ｍｍの円形穴を形成した円環状のものである。但し、スパンコール４のサイズや形状は上記に限定されるものではなく、より大型のスパンコールも採用可能である。
【００２７】
尚、スパンコール４を縫い付ける糸５の色をスパンコール４と同色にしたり、異色にすることもあり、糸５の色で装飾部の色彩や色相を変化させることができる。
【００２８】
スパンコール４の色も一律の色ではなく、上記の胴体装飾部２ａ、顔装飾部２ｂ、目玉装飾部２ｃ、くちばし装飾部２ｄ、顔面上部装飾部２ｅは、それぞれに適した色や色相に設定される。各装飾部の色や色相はスパンコールの色と縫い付ける糸５の色とで適宜設定される。例えば、胴体装飾部２ａのうち区分線Ｌの内側領域と顔装飾部２ｂは白色系のスパンコール４と白色の糸５とで白色に設定され、胴体装飾部２ａのうち区分線Ｌの外側領域は白色系のスパンコール４と灰色の糸５とでダークの白色に設定され、目玉装飾部２ｃのうちの中心部は黒色、その周囲は黄色に設定され、目玉の縁は黒色に設定され、嘴装飾部２ｄは黒色に設定され、顔面上部装飾部２ｅはダークグレイに設定されている。
【００２９】
各スパンコール４を基材３Ａ，３Ｂに縫い付ける形態は、４点留め又は２点留めが採用される。例えば、この実施形態では、図４に示すようなクロスステッチによる４点留めによりスパンコール４を基材３Ａ，３Ｂに縫い付けている。２点留めの場合、スパンコール４の直径を横断するような２本の縫目となる。
【００３０】
図１に示す第１，第２の鳥獣接近防止具１Ａ，１Ｂを背中合せにして固着した鳥獣接近防止具１を製作する方法について簡単に説明する。
図３に示すように、第１工程において、第１の基材３Ａの表面に第１のスパンコール装飾部２Ａを形成した第１の鳥獣接近防止具１Ａを製作し、第２の基材３Ｂの表面に第２のスパンコール装飾部２Ｂを形成した第２の鳥獣接近防止具１Ｂを製作する。
【００３１】
次に、第２工程において、第１，第２の鳥獣接近防止具１Ａ，１Ｂの第１，第２の基材  ３Ａ，３Ｂの裏面同士を当接させてから熱融着することで、第１，第２の鳥獣接近防止具  １Ａ，１Ｂを一体化した鳥獣接近防止具１を得ることができる。
【００３２】
次に、以上の鳥獣接近防止具１の作用、効果について説明する。
鳥獣接近防止具１の前面と後面の両面にフクロウの正面を表すスパンコール装飾部２Ａ，２Ｂが形成されているため、カラス等を効果的に威嚇することができる。
【００３３】
鳥獣接近防止具１が風で揺れたとしても、常にスパンコール装飾部“Ａ，２Ｂが全方向から見えるため、また、スパンコール装飾部２Ａ，２Ｂの多数のスパンコール４が個別に乱反射するため、カラス等にとっては、気味悪い異様な物体乃至動物に見えるから、優れた威嚇効果が発揮される。
【実施例２】
【００３４】
図５に示すように、この鳥獣接近防止具１Ｃは、鷲の形状を模したものである。
この鳥獣接近防止具１Ｃは、翼を拡げた鷲の形態を模した平板状の基材３Ｃと、この基材２Ｃの外面の全部又は一部に形成され且つ複数のスパンコールを縫い付けたスパンコール装飾部２Ｃとを有し、スパンコール装飾部２Ｃの光乱反射により鳥または獣の接近を防止するように構成してある。
【００３５】
基材３Ｃは、両方の翼をひろげた鷲の形態を模したポリエステルの不織製の平板状の部材で構成されている。スパンコール装飾部２Ｃは、鷲の胴体に対応する胴体装飾部２ｐと、鷲の頭部に対応する頭部装飾部２ｑと、鷲の両方の翼に対応する翼装飾部２ｒと、鷲の尾に対応する尾装飾部２ｓとを含む。
【００３６】
前記基材の表面には上記のようにスパンコール装飾部２Ｃが形成されているが、本実施例２では、基材３Ｃの裏面は無模様であり、縫付けた糸の裏側縫目だけが形成されている。
但し、実施例１と同様に鳥獣接近防止具１Ｃの裏面側にも別の基材を介して鷲の裏側を表すスパンコール装飾部を形成することもできる。
【００３７】
この場合、上記の基材３Ｃと同形の別の基材の外面（表面）に、鷲の裏側を表すスパンコール装飾部を形成し、その別の基材の裏面と上記の基材３Ｃの裏面とを当接させて熱融着にて一体的に固着すればよい。
【００３８】
次に、前記実施例を部分的に変更する例について説明する。
（１）前記実施例では、平板状の基材  を例として説明したが、基材  を立体的に形成し、その表面の全部又は一部にスパンコール装飾部  を形成してもよい。
【００３９】
（２）基材  としては１枚の基材を採用してもよく、２枚の基材を採用してもよい。
（３）スパンコール装飾部  で表すものは、フスクウや鷲に限定される訳ではなく、熊や虎やライオン等でもよく、その他の動物でもよい。
【００４０】
（４）スパンコールの大きさは、前記実施例のものに限定されるわけではなく、より大型のスパンコールを採用する場合もある。
（５）その他、当業者ならば、本考案の趣旨を逸脱しない範囲で、前記実施例に種々変更を付加して実施可能であり、本考案はそれらの変更例を包含するものである。
【符号の説明】
【００４１】
１，１Ａ，１Ｂ，１Ｃ      鳥獣接近防止具
２Ａ，２Ｂ，２Ｃ          スパンコール装飾部
２ａ      胴体装飾部
２ｂ      顔装飾部
２ｃ      目玉装飾部
２ｄ      くちばし装飾部
２ｅ      顔面上部装飾部
２ｐ      胴体装飾部
２ｑ      頭部装飾部
２ｒ      翼装飾部
２ｓ      尾装飾部
３Ａ，３Ｂ，３Ｃ    基材
４        スパンコール
【図１】
0003234679.tif 000003
【図２】
0003234679.tif 000004
【図３】
0003234679.tif 000005
【図４】
0003234679.tif 000006
【図５】
0003234679.tif 000007